(57)【要約】【課題】無線機から入力される宛先情報から、発呼先の電話番号を割り出して電話を掛けることのできる中継装置および通信システムを提供する。【解決手段】中継装置は、ネットワークインタフェースと、無線機インタフェースと、制御部を備える。制御部は、無線機インタフェースから宛先情報が埋め込まれた音声信号を受信したとき、この宛先情報に基づいて発呼先の電話番号を割り出し、割り出された電話番号を宛先とする発呼メッセージを作成してネットワークインタフェースを介してネットワークに送出する。【選択図】図１
2014087028.tif 000002
【特許請求の範囲】
【請求項１】
データ通信網であるネットワークに接続され、該ネットワークに接続された電話機を含むネットワーク機器と通信するネットワークインタフェースと、
中継用無線機が接続され、該中継用無線機を介して、該中継用無線機と通信する子機の無線機から、通信相手を指定する宛先情報が埋め込まれた音声信号を受信する無線機インタフェースと、
前記無線機インタフェースから前記宛先情報が埋め込まれた音声信号を受信したとき、該宛先情報に基づいて発呼先の電話番号を割り出し、該割り出された電話番号を宛先とする発呼メッセージを作成して前記ネットワークインタフェースを介して送信する制御部と、
を備えた中継装置。
【請求項２】
前記制御部は、前記宛先情報と前記電話番号とを対応づけたテーブルを備え、前記中継用無線機から前記宛先情報を含む音声信号を受信したとき、前記テーブルを参照して該宛先情報に対応する発呼先の電話番号を割り出す請求項１に記載の中継装置。
【請求項３】
前記無線機インタフェースは、前記中継用無線機との間で、パケット通信によって前記音声信号の送受信を行う請求項または請求項２に記載の中継装置。
【請求項４】
請求項１乃至請求項３のいずれかに記載の中継装置と、
該中継装置の前記無線機インタフェースに接続された中継用無線機と、
該中継用無線機と通信する子機の無線機と、
を有する通信システムであって、
前記無線機は、宛先情報が埋め込まれた音声信号を送信し、
前記中継用無線機は、前記無線機が送信した音声信号を受信して前記中継装置に入力し、
前記中継装置は、前記音声信号を入力し、この音声信号に埋め込まれている宛先情報に基づいて電話番号を割り出し、この電話番号を宛先とする発呼メッセージを作成して前記ネットワークに送出する
通信システム。
【発明の詳細な説明】
【技術分野】
【０００１】
この発明は、無線機と電話機との通信をネットワークを介して中継する中継装置および通信システムに関する。
【背景技術】
【０００２】
有線電話回線を中継装置を介して無線機（親機）に接続し、親機と無線で通信する無線機（子機）と電話機との通信を可能にしたシステムが従来より提案されている（たとえば特許文献１）。特許文献１に記載のシステムでは、子機から発呼を指示する音声信号が入力されると、予め記憶していた１つの電話番号に対して発呼メッセージを送信するように設定されていた。
【先行技術文献】
【特許文献】
【０００３】
【特許文献１】特開２０１１−１３５２９０号公報
【発明の概要】
【発明が解決しようとする課題】
【０００４】
しかし、特許文献１に記載のシステムでは、予め記憶されている１つの電話番号に対してしか発呼することができないため、複数の電話番号から一つを選択して、その電話番号に発呼することができない。また、近年のデジタルトランシーバはボタン数が少ないため、トランシーバから直接電話番号を入力することも困難であるという課題もある。
【０００５】
この発明は、無線機から入力される宛先情報から、発呼先の電話番号を割り出して電話を掛けることのできる中継装置および通信システムを提供することを目的とする。
【課題を解決するための手段】
【０００６】
この発明の中継装置は、データ通信網であるネットワークに接続され、該ネットワークに接続された電話機を含むネットワーク機器と通信するネットワークインタフェースと、中継用無線機が接続され、該中継用無線機を介して、該中継用無線機と通信する子機の無線機から、通信相手を指定する宛先情報が埋め込まれた音声信号を受信する無線機インタフェースと、前記無線機インタフェースから前記宛先情報が埋め込まれた音声信号を受信したとき、該宛先情報に基づいて発呼先の電話番号を割り出し、該割り出された電話番号を宛先とする発呼メッセージを作成して前記ネットワークインタフェースを介して送信する制御部と、を備えたことを特徴とする。
【０００７】
この発明では、無線機インタフェースを介して子機の無線機から音声信号が入力されたとき、この音声信号に埋め込まれている宛先情報に基づいて発呼先の電話番号を割り出す。そして、この電話番号を宛先情報とする発呼メッセージをネットワークに送出する。このように、無線機から受信した宛先情報に基づいて電話番号を割り出すため、無線機がどのような宛先情報を埋め込むかによって電話番号を切り換えることが可能になり、発呼先の自由度を高めることができる。
【０００８】
上記発明において、前記制御部に、前記宛先情報と前記電話番号とを対応づけたテーブルを備え、制御部が、前記中継用無線機から前記宛先情報を含む音声信号を受信したとき、前記テーブルを参照して該宛先情報に対応する発呼先の電話番号を割り出すようにしてもよい。
【０００９】
上記発明において、前記無線機インタフェースが、前記中継用無線機との間で、パケット通信によって前記音声信号の送受信を行うようにしてもよい。
【００１０】
この発明の通信システムは、上記中継装置と、該中継装置の前記無線機インタフェースに接続された中継用無線機と、該中継用無線機と通信する子機の無線機と、を有する通信システムであって、前記無線機は、宛先情報が埋め込まれた音声信号を送信し、前記中継用無線機は、前記無線機が送信した音声信号を受信して前記中継装置に入力し、前記中継装置は、前記音声信号を入力し、この音声信号に埋め込まれている宛先情報に基づいて電話番号を割り出し、この電話番号を宛先とする発呼メッセージを作成して前記ネットワークに送出することを特徴とする。
【発明の効果】
【００１１】
この発明によれば、無線機から受信した宛先情報に基づいて電話番号を割り出すため、無線機がどのような宛先情報を埋め込むかによって電話番号を切り換えることが可能になり、発呼先の自由度を高めることが可能になる。
【図面の簡単な説明】
【００１２】
【図１】この発明の実施形態である通信システムの構成図である。
【図２】子機である無線機の記憶内容を示す図である。
【図３】通信システムの中継装置のブロック図である。
【図４】中継装置の記憶部の記憶内容を示す図である。
【図５】中継装置の動作を示すフローチャートである。
【発明を実施するための形態】
【００１３】
図面を参照してこの発明の通信中継装置および通信システムについて説明する。
図１は、この発明の実施形態である通信システムの構成図である。この通信システムは、中継装置２を用いて、トランシーバ４とＩＰ電話機６または電話機８との間の発呼、着呼および通話を可能にしたシステムである。
【００１４】
ネットワーク１はたとえばＥｔｈｅｒｎｅｔ（登録商標）で構成されるＬＡＮやインターネットが適用可能である。このネットワーク１に１または複数の中継装置２（図１では２台）の中継装置２が接続されている。各中継装置２（２Ａ，２Ｂ）は、それぞれ異なる通信エリアＡ，Ｂをカバーしている。中継装置２には、据置型のトランシーバが中継用トランシーバ３（３Ａ，３Ｂ）として接続されている。中継用トランシーバ３は、いわゆるプッシュ・トゥ・トーク（Ｐｕｓｈ  ｔｏ  Ｔａｌｋ：ＰＴＴ）形式の半二重通信機器であっても、送受信を同時に行うことができる全二重通信機器であってもよい。中継用トランシーバ３の通信圏内には、１または複数台（図示では２台）のトランシーバ４（４Ａ−１，２、４Ｂ−１，２）が存在している。中継用トランシーバ３とトランシーバ４とは相互に通信可能な形式のものである。中継用トランシーバ（親機）３が本発明の中継用無線機に対応し、トランシーバ（子機）４が本発明の無線機に対応する。
【００１５】
また、ネットワーク１には、ＩＰ電話機６およびＶｏＩＰゲートウェイ７が接続されている。ＶｏＩＰゲートウェイ７には電話機８が接続されている。ＶｏＩＰゲートウェイは、ネットワーク１を介して音声信号を伝送するＶｏＩＰ（Ｖｏｉｃｅ  ｏｖｅｒ  Ｉｎｔｅｒｎｅｔ  Ｐｒｏｔｏｃｏｌ）手順と音声通話装置である電話機８とを中継するゲートウェイ装置である。
【００１６】
中継装置２はＳＩＰサーバ機能を内蔵している。ＳＩＰサーバ機能とは、ＳＩＰプロトコルを利用して、電話番号（ＵＲＩ）をＩＰアドレスと対応付け、通信相手の電話機を呼び出してつなぐ呼制御およびを行う機能である。
【００１７】
トランシーバ４および中継用トランシーバ３は、いわゆるデジタルトランシーバである。デジタルトランシーバは、デジタル信号に変換された音声信号やデータなどの通信が可能であり、音声信号の通信と並行して宛先情報などの制御情報を同時に通信することができる。中継用トランシーバ３は、トランシーバ４から受信したデジタル信号をパケット化して中継装置２に入力するとともに、中継装置２から入力されたパケットから音声信号や制御情報を取り出し、この音声信号や制御情報を時間軸のデジタル信号に変換して送信する。
【００１８】
トランシーバ４は、図２に示すように、自局を識別するＩＤ（無線機識別情報）、および、自局が所属するグループ番号を記憶しており、受信したデジタル信号に宛先情報として自局のＩＤまたは自局が所属するグループ番号が埋め込まれていれば、この信号を復調して音声信号をスピーカ等から出力する。また受信したデジタル信号に自局のＩＤまたは自局が所属するグループ番号が埋め込まれていない場合には、このデジタル信号を破棄する。なお、自局のＩＤや自局が所属するグループ番号は、受信した音声信号中に、たとえばスケルチコードとして挿入されている。
【００１９】
図３は、中継装置２のブロック図である。中継装置２は、制御部２０を有するとともに、下流（中継トランシーバ３側）の端部に無線機インタフェース２１、および、上流（ネットワーク１側）の端部にネットワークインタフェース２２を備えている。無線機インタフェース２１、ネットワークインタフェース２２ともに、たとえばＥｔｈｅｒｎｅｔ（登録商標）の物理層のコネクタなどが適用可能であり、デジタル通信の物理層やデータリンク層を担当する。
【００２０】
無線機インタフェース２１は、中継用トランシーバ３から入力されたパケットを制御部２０に入力するとともに、制御部２０から入力されたパケットを中継用トランシーバ３に送出する。
【００２１】
ネットワークインタフェース２２は、ネットワーク１経由で受信した通信相手からのパケットを制御部２０に入力するとともに、制御部２０から入力されたパケットをネットワーク１に送出する。
【００２２】
制御部２０は、マイコン等で構成され、機能的に、ＳＩＰ処理部２３、記憶部２４、上りパケット処理部２５および下りパケット処理部２６を備えている。記憶部２４には、図４に示す自局ＩＰアドレス記憶エリア２００、自局電話番号記憶エリア２０１、発信電話番号変換テーブル２０３、および、着信無線機番号変換テーブル２０４が設定されている。
【００２３】
ＳＩＰ処理部２３は、電話通信の発呼、着呼、切断等の処理を行うとともに、ＳＩＰサーバ機能を備え、電話番号とＩＰアドレスとを対応付けて通信相手を呼び出す処理を行う。
【００２４】
上りパケット処理部２５は、無線機インタフェース２１を介して中継用トランシーバ３から入力された上りの音声パケットから音声信号を読み出してＲＴＰパケットに変換してネットワークインタフェース２２に転送する処理を行うとともに、上りの音声パケットから制御信号を読み出し、その制御信号の内容に応じてＳＩＰ処理部２３に所定の処理を実行させる。たとえば、発信宛先情報を含むパケットを受信した場合には、ＳＩＰ処理部２３にその宛先電話番号に対する発呼処理を実行させる。
【００２５】
下りパケット処理部２６は、ＶＯＸ（Voice Operated Relay）機能を有し、ネットワークインタフェース２２から入力されたＲＴＰパケットに含まれるオーディオ信号のレベルおよび持続時間を監視する。入力されたオーディオ信号のレベルおよび持続時間が、所定のしきい値以上になったとき、通話先の電話機から発話音声が入力されているとして、このＲＴＰパケットを、音声信号に呼出情報を埋め込んだ音声パケットに変換して中継用トランシーバ３に転送する。中継用トランシーバ３は、中継装置２から音声パケットが入力されると、ＰＴＴをオンしてこの音声パケットに含まれる音声信号を送信する。
【００２６】
記憶部２４に設定されている発信電話番号変換テーブル２０３は、トランシーバ４から送信された音声パケット、すなわち、中継用トランシーバ３を介して中継装置２に入力された音声パケットに含まれる宛先情報を電話番号に変換するためのテーブルである。
【００２７】
一般のデジタルトランシーバは、ボタン数が少なく電話番号を直接入力するのが困難である。このため、トランシーバ４では少ないボタン数で入力可能な簡略な数字列などが宛先情報として用いられる。中継装置２は、この簡略な宛先情報をネットワーク１経由で接続されるＩＰ電話機６または電話機８の電話番号に変換する。発信電話番号変換テーブル２０３は、この簡略な宛先情報と電話番号とを対応づけて記憶したものである。
【００２８】
発信電話番号テーブル２０３は、Ｃａｌｌ＿ｔｙｐｅ（グループ／個別）、宛先ＩＤおよび宛先電話番号の欄を有している。トランシーバ４では、ユーザがボタン操作でグループ／個別およびＩＤを選択してＰＴＴボタンをオンすることで、その宛先情報（Ｃａｌｌ＿ｔｙｐｅ＋宛先ＩＤ）を含む音声パケットが送信される。この宛先情報は、トランシーバ４同士の通信における選択呼出（個別呼出／グループ呼出）に用いられる呼出情報と同様である。
【００２９】
記憶部２４に設定されている着信無線機番号変換テーブル２０４は、電話機６，８から入力される電話機番号を宛先情報（Ｃａｌｌ＿ｔｙｐｅ＋宛先ＩＤ）に変換するテーブルである。電話機６，８からトランシーバ４に電話を掛ける場合、中継装置２の電話番号に続けて無線機番号を入力することにより、個別の電話機に対する選択呼出（個別呼出，グループ呼出）が可能である。無線機番号はダイヤル入力可能な簡略な数値（２桁程度）である。各無線機番号は、Ｃａｌｌ＿ｔｙｐｅ（グループ／個別）および宛先ＩＤと対応づけられる。ここで、Ｃａｌｌ＿ｔｙｐｅ（グループ／個別）および宛先ＩＤを含む宛先情報が本発明の埋込用無線機識別情報に対応し、無線機番号が指定用無線機識別情報に対応する。
【００３０】
中継用トランシーバ３が複数のトランシーバ４と通信可能なとき、ネットワーク１経由で接続される通信相手（ＩＰ電話機６等）から入力される無線機番号を宛先情報（Ｃａｌｌ＿ｔｙｐｅ（グループ／個別）および宛先ＩＤ）に変換することで、いずれかのトランシーバ４を指定することができ、その指定されたトランシーバ４のみと通話が可能になる。
【００３１】
デジタルトランシーバ間で送受されるデジタル信号は、音声信号の合間に宛先情報などの制御情報を書き込むための制御情報フレームがあり、この制御情報フレームに宛先情報が書き込まれる。またスケルチコードとして宛先情報を書き込んでもよい。宛先情報が書き込まれたデジタル信号は、その宛先情報で指定されるトランシーバ４のみによって復調・再生される。この機能を利用して上記の選択呼出による個別通話を実現している。
【００３２】
図５のフローチャートを参照して中継装置２の発呼時、着呼時の動作を説明する。
無線機インタフェース２１から上りの音声パケットが入力されると（Ｓ１０）、現在通話中フラグがセットしているか否かを判断する（Ｓ１１）。通話中フラグがセットしている場合には（Ｓ１１でＹＥＳ）、現在発呼／着呼処理または通話中であるため、このフローチャートにおいては何もしないで終了する。通話中フラグがリセットしている場合には（Ｓ１１でＮＯ）、通話中フラグをセットする（Ｓ１２）。入力された音声パケットから発信宛先情報を読み出し（Ｓ１３）、この発信宛先情報で発信電話番号変換テーブル２０３を検索して対応する電話番号を読み出す（Ｓ１４）。そして、この電話番号をＳＩＰアドレスとしてＩＮＶＩＴＥメッセージを作成し、ネットワークインタフェース２２を介してネットワーク１に送出する（Ｓ１５）。
【００３３】
リクエストを受信して処理中である旨の暫定応答を受信すると（Ｓ１６）、リングバックトーン（ＲＢＴ）の音声パケットを発生させて無線機インタフェース２１に対して出力し（Ｓ１７）、ＳＩＰ手順を進めめる。通信相手の電話機である相手局から正式の応答を受信すると（Ｓ１８）、リングバックトーンを停止して（Ｓ１９）、トランシーバ４と発呼先の電話機（ＩＰ電話機６または電話機８）とを通話状態にする。
【００３４】
通話状態は以下のようである。中継用トランシーバ３が半二重の場合、中継用トランシーバ３から入力される上りパケット優先でＰＴＴ処理を行う。上りパケットが入力されている間は、ネットワーク１（相手局）から入力される下りパケットは破棄し、上りパケットの転送のみ行う。上りパケットが入力されていない間（トランシーバ４のＰＴＴがオフされている間）は、下りパケットで伝送される音声信号のレベルが所定のしきい値以上のとき、下りパケットを中継用トランシーバ３に入力して中継用トランシーバ３のＰＴＴをオンし、相手局の音声信号をトランシーバ４に送信する（ＶＯＸ処理）。
【００３５】
ネットワーク１からＢＹＥメッセージが入力された場合、または、下りパケットで伝送される音声信号のレベルが所定時間以上しきい値以上にならず、且つ、所定時間以上上りパケットが入力されない場合、通話を切断して（通話中フラグをリセットして）、待機状態にもどる。
【００３６】
これにより、トランシーバ４から入力された音声パケットに含まれていた宛先情報に基づいて電話番号を決定し、その電話番号宛にＩＮＶＩＴＥメッセージを送出することができ、ボタン数の少ないデジタルトランシーバであっても、電話番号を選択して電話を掛けることができるようになる。
【００３７】
一方、ネットワークインタフェース２２を介してＩＮＶＩＴＥメッセージを受信した場合には（Ｓ２０でＹＥＳ）、現在通話中フラグがセットしているか否かを判断する（Ｓ２１）。通話中フラグがセットしている場合には（Ｓ２１でＹＥＳ）、現在発呼／着呼処理または通話中であり、新たな着呼は受け付けられないため、相手装置にエラーレスポンスを返信して（Ｓ２９）終了する。通話中フラグがリセットしている場合には（Ｓ２１でＮＯ）、通話中フラグをセットし（Ｓ２２）、この呼び出しに対してＳＩＰ手順で応答する（Ｓ２３）。そして、無線機番号の入力を促す音声であるセカンドダイヤル指示トーンを発生して、ＩＮＶＩＴＥメッセージを送ってきた相手局に対して送信する（Ｓ２４）。
【００３８】
このセカンドダイヤル指示トーンに対応して無線機番号が送られてくると（Ｓ２５）、この無線機番号を用いて着信無線機番号変換テーブル２０４を検索し、対応する宛先情報を読み出す（Ｓ２６）。そして、中継用トランシーバ３に対して、この宛先情報を含む音声パケットを送信して呼び出しを行う（Ｓ２７）。この無線機が応答すると（Ｓ２８）、トランシーバ４と発呼元の電話機（ＩＰ電話機６または電話機８）とを通話状態にする。通話状態は発呼時と同じである。
【００３９】
これにより、中継用トランシーバ３に複数台のトランシーバ４が接続されている場合であっても、音声パケットに宛先の無線機番号を埋め込むことで、そのうちの１または複数のトランシーバ４のみが電話機と通話することが可能になる。
【００４０】
上記実施形態では、宛先情報としてトランシーバ４同士の個別呼出，グループ呼出に用いられる呼出情報を用いているが、これと異なる情報を宛先情報として用いてもよい。
【００４１】
上記実施形態では、中継用トランシーバ３と中継装置２との間の音声信号の送受信が、パケットで行われるが、デジタル化された時間軸信号で行ってもよく、アナログ信号で行ってもよい。いずれにしても何らかの方式で呼出情報が重畳（埋め込み）されていればよい。
【００４２】
この実施形態の中継装置２は、ＳＩＰサーバ機能を内蔵しているが、ＳＩＰサーバを外付けでネットワーク上に配置してもよい。この場合、中継装置２からＩＰ電話機６またはＶｏＩＰゲートウェイ７に向けて出力されるＳＩＰメッセージは、外付けのＳＩＰサーバを経由してＩＰ電話機６またはＶｏＩＰゲートウェイ７に届けられる。ＳＩＰサーバを備えず、外付けのＳＩＰサーバを経由してＩＰ電話機６またはＶｏＩＰゲートウェイ７とＳＩＰメッセージを送受信する構成も本発明の技術的範囲に含まれる。
【符号の説明】
【００４３】
１  ネットワーク
２  中継装置
３  中継用トランシーバ
４  トランシーバ
６  ＩＰ電話機
７  ＶｏＩＰゲートウェイ
８  電話機
【図１】
2014087028.tif 000003
【図２】
2014087028.tif 000004
【図３】
2014087028.tif 000005
【図４】
2014087028.tif 000006
【図５】
2014087028.tif 000007